【手続補正書】
【提出日】平成19年10月19日(2007.10.19)
【手続補正１】
【補正対象書類名】特許請求の範囲
【補正対象項目名】全文
【補正方法】変更
【補正の内容】
【特許請求の範囲】
【請求項１】
ａ．ルールのセットを含むローンポリシーを有するローンポリシーシステムと、ｂ．該ローンポリシーシステムと相互通信する少なくとも一つのリスクデータシステムと、ｃ．前記ローンポリシーシステム及び前記リスクデータシステムと相互通信するリスクシステムであって、リスク査定を行うために前記ローンポリシーシステム及び前記リスクデータシステムからのデータを処理するように構成されているリスクシステムと、ｄ．前記リスク査定の結果を報告するための前記リスクシステムと相互通信するユーザーインターフェースとを具備したリスク管理システム。
【請求項２】
前記リスクシステムがリスク査定を行うためのリスクルールエンジンをさらに具備し、該リスクルールエンジンが前記ローンポリシーシステム及び前記リスクデータシステムと相互通信する請求項１に記載のリスク管理システム。
【請求項３】
前記リスクシステムがリスク分析ファイルをさらに具備し、該リスク分析ファイルが前記リスクルールエンジンと相互通信し、前記リスク分析ファイルがリスク査定のデータを処理すると共に保存するように構成されている請求項２に記載のリスク管理システム。
【請求項４】
前記リスクデータシステムが例外システムを具備した請求項１に記載のリスク管理システム。
【請求項５】
前記リスクデータシステムがオリジネーションシステムを具備した請求項１に記載のリスク管理システム。
【請求項６】
前記リスクデータシステムがローン会計システムを具備した請求項１に記載のリスク管理システム。
【請求項７】
前記リスクデータシステムがデリバティブシステムを具備した請求項１に記載のリスク管理システム。
【請求項８】
前記リスクデータシステムが外部格付けシステムを具備した請求項１に記載のリスク管理システム。
【請求項９】
前記リスクデータシステムが契約システムを具備した請求項１に記載のリスク管理システム。
【請求項１０】
前記リスクデータシステムが勘定分析システムを具備した請求項１に記載のリスク管理システム。
【請求項１１】
前記リスクデータシステムが回収システムを具備した請求項１に記載のリスク管理システム。
【請求項１２】
前記リスク分析ファイルがリスク計算リポジトリをさらに具備した請求項３に記載のリスク管理システム。
【請求項１３】
前記リスク分析ファイルが分析ルールリポジトリをさらに具備した請求項３に記載のリスク管理システム。
【請求項１４】
前記リスク分析ファイルがアクションルールリポジトリをさらに具備した請求項３に記載のリスク管理システム。
【請求項１５】
前記アクションルールリポジトリが通知ルーチンをさらに具備した請求項１４に記載のリスク管理システム。
【請求項１６】
前記アクションルールリポジトリがアクションルーチンをさらに具備した請求項１４に記載のリスク管理システム。
【請求項１７】
前記アクションルールリポジトリがエクスポージャールーチンをさらに具備した請求項１４に記載のリスク管理システム。
【請求項１８】
前記リスク分析ファイルが定期的分析リポジトリをさらに具備した請求項３に記載のリスク管理システム。
【請求項１９】
前記リスク分析ファイルがリスクポリシーリポジトリをさらに具備した請求項３に記載のリスク管理システム。
【請求項２０】
前記リスク分析ファイルがエクスポージャーリポジトリをさらに具備した請求項３に記載のリスク管理システム。
【請求項２１】
前記エクスポージャーリポジトリが中間計算ファイルをさらに具備した請求項２０に記載のリスク管理システム。
【請求項２２】
前記エクスポージャーリポジトリがサマリーファイルをさらに具備した請求項２０に記載のリスク管理システム。
【請求項２３】
前記エクスポージャーリポジトリがタイムスタンプデータファイルをさらに具備した請求項２０に記載のリスク管理システム。
【請求項２４】
前記エクスポージャーリポジトリがリスクアクションステータスファイルをさらに具備した請求項２０に記載のリスク管理システム。
【請求項２５】
前記リスク分析ファイルが例外リポジトリをさらに具備した請求項３に記載のリスク管理システム。
【請求項２６】
前記リスク分析ファイルが契約リポジトリをさらに具備した請求項３に記載のリスク管理システム。
【請求項２７】
前記リスクシステムが前記リスクルールエンジン及び前記リスクデータシステムと相互通信するイベントモニターをさらに具備した請求項２に記載のリスク管理システム。
【請求項２８】
前記リスクシステムが前記リスクルールエンジン及び前記リスクデータシステムと相互通信するイベントフィルターをさらに具備した請求項２に記載のリスク管理システム。
【請求項２９】
前記リスクシステムが前記リスクルールエンジン及び前記リスクデータシステムと相互通信する照会ディスパッチャをさらに具備した請求項２に記載のリスク管理システム。
【請求項３０】
前記リスクデータシステム及び前記リスクシステムと相互通信する少なくとも一つのシステムインターフェースをさらに具備した請求項１に記載のリスク管理システム。
【請求項３１】
前記システムインターフェースが契約インターフェースを具備した請求項３０に記載のリスク管理システム。
【請求項３２】
前記システムインターフェースが例外インターフェースを具備した請求項３０に記載のリスク管理システム。
【請求項３３】
前記システムインターフェースがローン会計インターフェースを具備した請求項３０に記載のリスク管理システム。
【請求項３４】
前記システムインターフェースがオリジネーションインターフェースを具備した請求項３０に記載のリスク管理システム。
【請求項３５】
前記システムインターフェースがデリバティブインターフェースを具備した請求項３０に記載のリスク管理システム。
【請求項３６】
前記システムインターフェースが信託インターフェースを具備した請求項３０に記載のリスク管理システム。
【請求項３７】
前記システムインターフェースがデポジットインターフェースを具備した請求項３０に記載のリスク管理システム。
【請求項３８】
前記システムインターフェースがライブデータフィードチャネルインターフェースを具備した請求項３０に記載のリスク管理システム。
【請求項３９】
前記システムインターフェースがサードパーティインターフェースを具備した請求項３０に記載のリスク管理システム。
【請求項４０】
前記リスクシステムが前記リスクルールエンジン及び前記リスクデータシステムと相互通信するトランザクションサブミッションモジュールをさらに具備した請求項２に記載のリスク管理システム。
【請求項４１】
前記リスクシステムが前記リスクルールエンジン及び前記リスクデータシステムと相互通信するリスクワークフローエンジンをさらに具備した請求項２に記載のリスク管理システム。
【請求項４２】
前記リスクワークフローエンジンと相互通信する通知エンジンをさらに具備した請求項４１に記載のリスク管理システム。
【請求項４３】
前記リスクワークフローエンジンと相互通信するリスクアクションジョブリストシステムをさらに具備した請求項４１に記載のリスク管理システム。
【請求項４４】
前記リスクルールエンジンと相互通信するユーザーインターフェースをさらに具備した請求項１に記載のリスク管理システム。
【請求項４５】
前記ユーザーインターフェースがリスクワークステーションである請求項４４に記載のリスク管理システム。
【請求項４６】
金融機関によって提供されるサービスに関連するリスクを管理する方法であって、ａ．ローンポリシーを規定することと、ｂ．少なくとも一つのリスクデータシステムのデータを監視することと、ｃ．該データが前記ローンポリシーから逸脱しているかどうか判断するために前記データを前記ローンポリシーと比較することと、ｄ．前記データが前記ローンポリシーから逸脱する場合にリスクイベントを記録することと、ｅ．前記リスクイベントのリスク査定を行うことと、ｆ．ユーザーが前記リスク査定の結果にアクセスすることができるようにすることとを具備したリスクを管理する方法。
【請求項４７】
前記リスクイベントがリスクシステムを介して査定される請求項４６に記載のリスクを管理する方法。
【請求項４８】
前記リスクシステムが少なくとも一つのコンピュータに実装されたコンピュータプログラムであって、前記リスクデータシステムにリスクイベントの実行値のレビューを自動的に行うように構成された請求項４７に記載のリスクを管理する方法。
【請求項４９】
前記リスクシステムがリスク査定を自動的に行う請求項４７に記載のリスクを管理する方法。
【請求項５０】
前記リスクイベントのリスク査定を行う段階が、リスクイベントを含む前記データを第二のリスクデータシステムからのデータと比較する段階をさらに具備した請求項４６に記載のリスクを管理する方法。
【請求項５１】
ユーザーがリスクワークステーションを介して前記リスク査定の結果にアクセス可能である請求項４６に記載のリスクを管理する方法。
【請求項５２】
請求項４から請求項１１のうち少なくとも二つに記載のリスクデータシステムを具備した請求項１に記載のリスク管理システム。
【請求項５３】
請求項１２から請求項２６のうち少なくとも二つに記載のリスク分析ファイルを具備した請求項３に記載のリスク管理システム。
【請求項５４】
請求項２７から請求項２９及び請求項４１から請求項４３のうち少なくとも二つに記載のリスクシステムを具備した請求項２に記載のリスク管理システム。
【請求項５５】
請求項３１から請求項３９のうち少なくとも二つに記載のシステムインターフェースを具備した請求項３０に記載のリスク管理システム。
【手続補正２】
【補正対象書類名】図面
【補正対象項目名】図１
【補正方法】変更
【補正の内容】
【図１】
2007523426.tif 000001
【手続補正３】
【補正対象書類名】図面
【補正対象項目名】図９
【補正方法】変更
【補正の内容】
【図９】
2007523426.tif 000002